(57)【要約】      （修正有）【課題】電子機器が位置する所定地域内で該電子機器が放送波を受信するために必要な放送情報を処理する際に、放送情報のデータ量を削減して記憶させることが可能な情報処理装置を提供する。【解決手段】電子機器が位置する所定地域内で該電子機器が放送波を受信するために必要な放送情報を処理する情報処理装置であって、前記所定地域を区分した区分け地域内で前記電子機器が受信可能な放送局のグループのパターンと、該パターンを識別する符号と、該区分け地域とを関連付けた関連情報として記憶部３５へ記憶させる情報処理部を備える。【選択図】図９
2012257032.tif 000002
【特許請求の範囲】
【請求項１】
電子機器が位置する所定地域内で該電子機器が放送波を受信するために必要な放送情報を処理する情報処理装置であって、
前記所定地域を区分した区分け地域内で前記電子機器が受信可能な放送局のグループのパターンと、該パターンを識別する符号と、該区分け地域とを関連付けた関連情報として第１の記憶部へ記憶させる情報処理部を備える、
情報処理装置。
【請求項２】
前記情報処理部は、
所定の前記区分け地域内で前記電子機器が受信可能な放送局のグループのパターンが、既存のパターンにあるか否かを判別し、
前記パターンが前記既存のパターンにないと判別した場合に、該パターンを新しいパターンとして作成し、且つ該新しいパターンを識別する符号を作成し、
前記符合を前記所定の区分け地域に割り付ける、
請求項１に記載の情報処理装置。
【請求項３】
前記情報処理部は、
前記パターンが前記既存のパターンにあると判別した場合に、該既存のパターンを識別する前記符号を、前記所定の区分け地域に割り付ける、
請求項２に記載の情報処理装置。
【請求項４】
前記情報処理部は、
前記第１の記憶部に記憶させた前記関連情報から、前記電子機器が位置する区分け地域に対応する前記符合から前記パターンを検索し、検索した該区分け地域に対応する該パターンを該電子機器へ送信する、
請求項１から３の何れか一項に記載の情報処理装置。
【請求項５】
電子機器が位置する所定地域内で該電子機器が電波によって発信される放送を受信するために必要な放送情報を処理する情報処理装置であって、前記所定地域を区分した区分け地域内で前記電子機器が受信可能な放送局のグループのパターンと、該パターンを識別する符号と、該区分け地域とを関連付けた関連情報として第１の記憶部へ記憶させる情報処理部と、前記関連情報を前記電子機器へ送信する情報送信部と、を備える情報処理装置から、前記関連情報を受信する電子機器であって、
前記情報送信部から送信された前記関連情報を受信する電子機器受信部と、
前記電子機器受信部が受信した前記関連情報を第２の記憶部に記憶させ、前記電子機器が位置する区分け地域に対応する該パターンを、該第２の記憶部内に記憶させた該関連情報から読み出し、読み出した該パターンに基づいて前記放送情報を受信する電子機器処理部と、を備える、
電子機器。
【請求項６】
前記電子機器は、移動体に搭載され、又は可搬体であり、
前記電子機器処理部は、
前記電子機器が受信している放送波の受信感度が所定値以下であるか否かを判断し、
前記受信感度が所定値以下であると判断した場合に、前記電子機器が次に位置する区分け地域を該電子機器の移動方向に基づいて予測し、
前記第２の記憶部に記憶させた前記関連情報の中の前記区分け地域に、予測した前記区分け地域があるか否かを判断し、
予測した前記区分け地域が前記関連情報の中の前記区分け地域にあると判断した際に、前記第２の記憶部に記憶させた前記関連情報に基づいて、予測した前記区分け地域に対応
するパターンを読み出し、
読み出した前記パターンに基づいて、前記電子機器が受信している放送局から他の放送局へ切り替える、
請求項５に記載の電子機器。
【請求項７】
前記電子機器処理部は、
予測した前記区分け地域が前記第２の記憶部に記憶させた前記関連情報の中の前記区分け地域にないと判断した場合に、前記第１の記憶部に記憶されている前記関連情報の中から、予測した前記区分け地域に対応する前記符号及び前記パターンを該第２の記憶部へ記憶させる、
請求項６に記載の電子機器。
【請求項８】
電子機器が位置する所定地域内で該電子機器が放送波を受信するために必要な放送情報を処理する情報処理方法であって、
前記所定地域を区分した区分け地域内で前記電子機器が受信可能な放送局のグループのパターンと、該パターンを識別する符号と、該区分け地域とを関連付けた関連情報として第１の記憶部へ記憶させる、
情報処理方法。
【発明の詳細な説明】
【技術分野】
【０００１】
本発明は、情報処理装置、電子機器、情報処理方法に関する。
【背景技術】
【０００２】
従来から、車載機によってテレビ（以下、ＴＶと記載する）やラジオの番組を受信・視聴する際に、車両の現在位置によって受信可能なチャンネルが異なってくるため、効率よく受信可能なチャンネルに変更する技術が開発されている。例えば、車載機に設置されたＴＶ受信機が、受信強度や放送局名等の受信状態情報を統合的に管理するサーバーにアクセスすることによって、受信状態情報を取得することが可能な技術が開示されている（特許文献１を参照）。また、地域探索リストを広域探索リストと県域探索リストに階層化することにより、より効率よく県域を特定し、受信可能なチャンネルを検索することが可能な技術が開示されている（特許文献２を参照）。他に、放送チャンネル受信地域において、受信可能なチャンネルからなるチャンネルパターンに対応する地域コードと、データ放送あるいは文字多重放送の放送波に含まれる放送局コードに対応する地域コードを比較して、一致する地域コードに対応する地域別放送チャンネルデータに基づいてチャンネルを設定するようにした技術が開示されている（特許文献３を参照）。
【先行技術文献】
【特許文献】
【０００３】
【特許文献１】特開２００４−１６５７２９号公報
【特許文献２】特開２００６−１３７６５号公報
【特許文献３】特開２００２−１０１３６１号公報
【発明の概要】
【発明が解決しようとする課題】
【０００４】
車載機が各地域で受信可能なＴＶやラジオの放送局を判別する際に必要となるデータベースは、例えば、道路地図データの３次メッシュ毎にそれぞれ受信可能な放送情報をそのまま持つような仕組みが考えられる。３次メッシュとは、標準地域メッシュ・システム（昭和４８年７月１２日  行政管理庁告示第１４３号「統計に用いる標準地域メッシュ及び標準地域メッシュコード」）に基づくもので、一定の経線、緯線で地域を網の目状に区画する方法である。図１は、１次メッシュで区画した日本地図であり、１次メッシュのメッシュコードを示す。図２は、図１の部分的な拡大図であり、１次メッシュを示す。図３は、１次メッシュを更に区画した２次メッシュを示す。図４は、２次メッシュを更に区画した３次メッシュを示す。１次メッシュは、図１及び図２に示すように、経度差１度、緯度差４０分で区画された範囲を指し、約８０ｋｍ×約８０ｋｍの範囲である。２次メッシュは、図３に示すように、１次メッシュを縦横８等分にしたものであり、経度差７．５分、緯度差５分である。１つの２次メッシュの区画の範囲は、約１０ｋｍ×約１０ｋｍである。３次メッシュは、図４に示すように、２次メッシュを縦横１０等分したものであり、緯度差０．５分、経度差０．７５分である。１つの３次メッシュの区画の範囲は、約１ｋｍ×約１ｋｍである。データベースが各放送情報を３次メッシュ毎に持つと、該データベースのデータ量が膨大となり、車載機の記憶容量もそれに対応したものにする必要がある。
【０００５】
そこで、本発明は、上記した問題に鑑み、電子機器が位置する所定地域内で該電子機器が放送波を受信するために必要な放送情報を処理する際に、放送情報のデータ量を削減して記憶させることが可能な情報処理装置を提供することを目的とする。
【課題を解決するための手段】
【０００６】
本発明は、上述した課題を解決するために、所定地域が区分けされた区分け地域内で電子機器が受信可能な放送局のグループのパターンと、該パターンを識別する符号と、各々の該区分け地域とを関連付ける点を工夫した。
【０００７】
詳細には、本発明に係る情報処理装置は、電子機器が位置する所定地域内で該電子機器が放送波を受信するために必要な放送情報を処理する情報処理装置であって、前記所定地域を区分した区分け地域内で前記電子機器が受信可能な放送局のグループのパターンと、該パターンを識別する符号と、該区分け地域とを関連付けた関連情報として第１の記憶部へ記憶させる情報処理部を備える。
【０００８】
本発明に係る情報処理装置は、電子機器が位置する所定地域内で該電子機器が放送波を受信するために必要な放送情報を処理する。所定地域とは、一定の経線及び緯線で地域を網の目状に区画したメッシュ、地上波放送の区域である関東広域圏、中京広域圏、近畿広域圏等、又は都道府県等であるが、これらに限定されない。また、区分け地域とは、所定地域が区分けされた地域であり、区分けされる区分数は特に限定されない。放送情報とは、電子機器が電波によって発信される放送波を受信するために必要な情報であり、所定地域毎に受信可能なＴＶ放送の放送局チャンネル、放送局ＩＤ、及びラジオ放送の受信周波数等である。また、放送情報は、シミュレーション等により仮想した情報でもよいし、実際に電子機器が受信した情報でもよく、特に限定されない。
【０００９】
従来は、区分け地域毎に、該区分け地域内で電子機器が受信可能な放送局のグループが記憶されていたため、放送情報のデータ量が膨大であった。更に、隣接し合う区分け地域では、受信可能な放送局のグループが同じ場合がある。そこで、本発明に係る情報処理装置は、放送局のグループのパターンと、該パターンを識別する符号と、区分け地域とを関連付けて記憶させることにより、放送情報のデータ量を大幅に削減することが可能である。尚、所定の区分け地域内で電子機器が受信可能な放送局のグループは、第１の記憶部に記憶されている関連情報の中から、該所定の区分け地域と関連付けられた符号を読み出し、該符号と関連付けられたパターンを読み出すことによって、導き出すことが可能である。また、第１の記憶部は、情報処理装置に備えられてもよいし、情報処理装置とは別に備えられてもよい。
【００１０】
更に、本発明に係る情報処理装置において、前記情報処理部は、所定の前記区分け地域内で前記電子機器が受信可能な放送局のグループのパターンが、既存のパターンにあるか否かを判別し、前記パターンが前記既存のパターンにないと判別した場合に、該パターンを新しいパターンとして作成し、且つ該新しいパターンを識別する符号を作成し、前記符合を前記所定の区分け地域に割り付けてもよい。
【００１１】
本発明に係る情報処理装置は、受信可能な放送局が増える等の放送情報に更新があった場合であっても、情報処理部が、更新された放送情報に基づいて新たにパターン及び符号を作成することが可能である。更に、本発明に係る情報処理装置は、新たに放送局のパターンが発生した場合、第１の記憶部に既に記憶されているパターンと重複することなく、新たなパターンを作成することが可能である。更に、本発明に係る情報処理装置は、第１の記憶部にパターンが記憶されていない場合であっても、情報処理部が、パターン及び符号を作成し、関連付けたパターン及び符号と、関連付けた符号及び区分け地域を第１の記憶部に記憶させることが可能である。以上により、本発明に係る情報処理装置は、第１の記憶部に記憶させる関連情報のデータ量を最小限にすることが可能である。
【００１２】
また、本発明に係る情報処理装置において、前記情報処理部は、前記パターンが前記既存のパターンにあると判別した場合に、該既存のパターンを識別する前記符号を、前記所定の区分け地域に割り付けてもよい。
【００１３】
情報処理部は、放送局のグループのパターンが、第１の記憶部に関連情報として記憶されている既存のパターンにあると判別した場合、該既存のパターンを利用することが可能である。既存のパターンを識別する符号は、関連情報から導きだされる。そして、情報処理部が、既存のパターンを識別する符号を、所定の区分け地域に割り付ける。従って、本発明に係る情報処理装置は、情報処理部が重複して放送局のグループを記憶させず、第１の記憶部に記憶させる関連情報のデータ量を最小限にすることが可能である。
【００１４】
ここで、本発明に係る情報処理装置において、前記放送情報は、前記所定地域内で前記電子機器が受信した放送に関する情報と、該電子機器が該放送情報を受信した際に該電子機器の位置に関する情報とを含んでもよい。所定地域内で電子機器が受信した放送に関する情報と、電子機器が放送情報を受信した際に電子機器の位置に関する情報は、現実に即した情報である。従って、本発明に係る情報処理装置は、高層ビル等により電波障害が起こり、シミュレーション等により仮想した放送情報とは現実に異なる場合、現実に即した放送情報に基づいて、パターン及び符号を区分け地域と関連付けることが可能であるため、第１の記憶部に記憶させる関連情報も現実に即した正確な情報となる。更に、本発明に係る情報処理装置は、受信可能な放送局が増える等の放送情報に更新があった場合であっても、第１の記憶部に記憶させる関連情報が更新された正確な情報となる。
【００１５】
また、本発明に係る情報処理装置において、前記情報処理部は、前記第１の記憶部に記憶させた前記関連情報から、前記電子機器が位置する区分け地域に対応する前記符合から前記パターンを検索し、検索した該区分け地域に対応する該パターンを該電子機器へ送信してもよい。
【００１６】
その結果、本発明に係る情報処理装置は、現在、電子機器が位置する区分け地域内で受信可能な放送局のグループに該当するパターンを、電子機器へ送信することが可能である。また、本発明に係る情報処理装置は、情報処理部が、第１の記憶部が記憶する関連情報を電子機器側に全て送信させる必要がなく、電子機器が位置する区分け地域等と関連付けられた必要な関連情報のみを送信することが可能である。その結果、電子機器は、パターンを受信する際に、最小限のデータ量で受信することが可能である。
【００１７】
本発明に係る情報処理装置において、前記電子機器は、車載機でもよい。車載機が持つハードディスクの容量が限られており、膨大なデータ量を記憶することが不可能である。本発明に係る情報処理装置は、データ量が大幅に削減された放送情報を車載機へ送信することが可能である。また、電子機器が車載等の移動体に搭載される場合、電子機器が位置する区分け地域が変わり、電子機器が受信可能な放送局のグループが変わる場合がある。その場合、本発明に係る情報処理装置は、移動先の区分け地域に対応する、第１の記憶部に記憶されている関連情報の符合及びパターンを読み出し、移動先の区分け地域において受信可能な放送波を導き出すことが可能である。
【００１８】
ここで、本発明に係る電子機器は、電子機器が位置する所定地域内で該電子機器が電波によって発信される放送を受信するために必要な放送情報を処理する情報処理装置であって、前記所定地域を区分した区分け地域内で前記電子機器が受信可能な放送局のグループのパターンと、該パターンを識別する符号と、該区分け地域とを関連付けた関連情報として第１の記憶部へ記憶させる情報処理部と、前記関連情報を前記電子機器へ送信する情報送信部と、を備える情報処理装置から、前記関連情報を受信する電子機器であって、前記情報送信部から送信された前記関連情報を受信する電子機器受信部と、前記電子機器受信部が受信した前記関連情報を第２の記憶部に記憶させ、前記電子機器が位置する区分け地域に対応する該パターンを、該第２の記憶部内に記憶させた該関連情報から読み出し、読み出した該パターンに基づいて前記放送情報を受信する電子機器処理部と、を備えてもよ
い。
【００１９】
電子機器受信部は、情報処理装置が備える情報送信部によって送信される関連情報を受信する。尚、電子機器受信部は、第１の記憶部に記憶されている全ての関連情報を受信する必要がなく、電子機器が位置する区分け地域等の必要な関連情報のみを受信することが可能である。また、第２の記憶部は、電子機器受信部が受信した関連情報を記憶する。尚、第２の記憶部は、電子機器に備えられてもよいし、電子機器とは別に備えられてもよい。また、第１の記憶部が記憶する関連情報のデータ量が少量であるため、第２の記憶部が記憶する関連情報も少量であるが、電子機器受信部が必要な関連情報のみを受信した場合は、第２の記憶部が記憶する関連情報はより少量となる。更に、電子機器処理部は、電子機器が位置する区分け地域に対応するパターンを、第２の記憶部に記憶されている関連情報から読み出し、読み出したパターンに基づいて放送情報を受信する事が可能である。以上により、本発明に係る電子機器は、該電子機器が位置する所定地域内で受信可能な放送をユーザに提供することが可能である。
【００２０】
更に、本発明に係る電子機器において、前記電子機器は、移動体に搭載され、又は可搬体であり、前記電子機器処理部は、前記電子機器が受信している電波の受信感度が所定値以下であるか否かを判断し、前記受信感度が所定値以下であると判断した場合に、前記電子機器が次に位置する区分け地域を該電子機器の移動方向に基づいて予測し、前記第２の記憶部に記憶させた前記関連情報の中の前記区分け地域に、予測した前記区分け地域があるか否かを判断し、予測した前記区分け地域が前記関連情報の中の前記区分け地域にあると判断した際に、前記第２の記憶部に記憶させた前記関連情報に基づいて、予測した前記区分け地域に対応するパターンを読み出し、読み出した前記パターンに基づいて、前記電子機器が受信している放送局から他の放送局へ切り替えてもよい。
【００２１】
電子機器が移動体に搭載される場合は、例えば、車両に搭載される車載機である。また、電子機器が持ち運び可能な可搬体である場合は、例えば、携帯端末である。電子機器処理部は、電子機器が受信している放送波の受信感度が所定値以下であるか否かを判断する。受信感度が弱まる場合とは、高層ビル等により受信電波が遮られる場合、県境等に電子機器が位置し放送局エリアが変わる場合、天候が不順である場合等である。受信感度の所定値は特に限定されないが、ユーザが放送情報を良好に視聴可能となる受信感度が好ましい。
【００２２】
更に、電子機器処理部は、受信感度が所定値以下であると判断した際に、電子機器が次に位置する区分け地域を電子機器の移動方向に基づいて予測する。受信感度が所定値以下である場合は、例えば、ユーザが放送情報を良好に視聴可能ではない場合である。電子機器処理部は、例えば、予め電子機器の移動経路が設定されている場合、該移動経路が位置する区分け地域を次に位置する区分け地域として予測してもよい。また、電子機器処理部は、例えば、現在電子機器の移動する方向の先に位置する区分け地域を次に位置する区分け地域として予測してもよい。更に、電子機器処理部は、第２の記憶部に記憶させた区分け地域内に予測した区分け地域があるか否かを判断する。
【００２３】
電子機器処理部は、予測した区分け地域が第２の記憶部内にあると判断した場合に、第２の記憶部内に記憶させた関連情報に基づいて、予測した区分け地域に対応するパターンを読み出す。第２の記憶部に記憶されている関連情報は、上述したように、パターン、符号、区分け地域が関連付けられた情報である。電子機器処理部は、予測した区分け地域と関連付けられた符合を読み出し、該符合と関連付けたパターンを読み出す。その結果、本発明に係る電子機器は、読み出されたパターンから、予測した区分け地域内で受信可能な放送局のグループを読み出す事が可能である。電子機器処理部は、読み出したパターンに基づいて、電子機器が受信している放送局から他の放送局へ切り替える。以上により、本
発明に係る電子機器は、電子機器の移動に伴って、該電子機器が受信している放送波の受信感度が低下した際に、電子機器が受信可能な放送波に自動に切り替え、ＴＶ放送やラジオ放送等の視聴可能な放送をユーザに提供することが可能である。
【００２４】
更に、本発明に係る電子機器において、前記電子機器処理部は、予測した前記区分け地域が前記第２の記憶部にないと判断した場合に、前記第１の記憶部に記憶されている前記関連情報の中から、予測した前記区分け地域に対応する前記符号及び前記パターンを該第２の記憶部へ記憶させてもよい。
【００２５】
第２の記憶部は、電子機器が実際に位置した所定地域に対応する関連情報や、電子機器が位置する予定の所定地域に対応する関連情報が記憶されていれば十分である。つまり、第２の記憶部は、第１の記憶部に記憶されている関連情報を全て記憶する必要はない。そして、第２の記憶部に記憶されている区分け地域に、電子機器処理部によって予測された区分け地域がない場合、電子機器処理部は、第１の記憶部に記憶されている関連情報の中から、予測した区分け地域に対応する符合及びパターンを、第２の記憶部へ記憶させればよい。その結果、本発明に係る電子機器は、第２の記憶部が記憶するデータ量を最小限にする事が可能である。更に、本発明に係る電子機器は、上述したように、電子機器処理部が、第２の記憶部に記憶された、予測した区分け地域に対応する符合及びパターンを読み出し、他の放送局へ切り替えることが可能である。また、予測された区分け地域が第１の記憶部にない場合は、上述したように、情報処理装置が、情報処理部によってパターン及び符合を作成し、該符合をパターンに該当する区分け地域に割り付け、関連情報を第１の記憶部へ記憶させることが可能である。
【００２６】
本発明に係る記憶装置は、電子機器が位置する所定地域内で該電子機器が放送波を受信するために必要な放送情報を記憶する記憶装置であって、前記放送情報を取得し、該放送情報に含まれる、前記所定地域が区分けされた区分け地域内で前記電子機器が受信可能な放送局のグループのパターンと、該パターンを識別する符号とを関連付け、該符号と、各々の該区分け地域とを関連付け、関連付けた該パターン、該符号、該区分け地域とを関連情報として第１の記憶部へ記憶してもよい。その結果、本発明に係る記憶装置は、放送局のグループのパターンと、該パターンを識別する符号と、区分け地域とを関連付けて記憶することにより、記憶する放送情報のデータ量を大幅に削減することが可能である。
【００２７】
本発明に係る情報処理方法は、電子機器が位置する所定地域内で該電子機器が放送波を受信するために必要な放送情報を処理する情報処理方法であって、前記所定地域を区分した区分け地域内で前記電子機器が受信可能な放送局のグループのパターンと、該パターンを識別する符号と、該区分け地域とを関連付けた関連情報として第１の記憶部へ記憶させてもよい。その結果、本発明に係る情報処理方法は、放送局のグループのパターンと、該パターンを識別する符号と、区分け地域とを関連付けて記憶させることにより、記憶させる放送情報のデータ量を大幅に削減することが可能である。
【００２８】
本発明に係るプログラムは、電子機器が位置する所定地域内で該電子機器が放送波を受信するために必要な放送情報の処理をコンピュータに行わせるためのプログラムであって、前記コンピュータに、前記放送情報を取得し、該放送情報に含まれる、前記所定地域が区分けされた区分け地域内で前記電子機器が受信可能な放送局のグループのパターンと、該パターンを識別する符号とを関連付け、該符号と、各々の該区分け地域とを関連付け、関連付けた該パターン、該符号、該区分け地域とを関連情報として第１の記憶部へ記憶させる処理を実行させてもよい。その結果、本発明に係るプログラムは、放送局のグループのパターンと、該パターンを識別する符号と、区分け地域とを関連付けて記憶させることにより、記憶させる放送情報のデータ量を大幅に削減することが可能である。
【００２９】
本発明に係る情報処理システムは、電子機器と、電子機器が位置する所定地域内で該電子機器が放送波を受信するために必要な放送情報を処理する情報処理装置であって、前記放送情報を取得し、該放送情報に含まれる、前記所定地域が区分けされた区分け地域内で前記電子機器が受信可能な放送局のグループのパターンと、該パターンを識別する符号とを関連付け、該符号と、各々の該区分け地域とを関連付け、関連付けた該パターン、該符号、該区分け地域とを関連情報として第１の記憶部へ記憶させる情報処理部を有する情報処理装置と、を備えてもよい。その結果、本発明に係る情報処理システムは、放送局のグループのパターンと、該パターンを識別する符号と、区分け地域とを関連付けて記憶させることにより、記憶させる放送情報のデータ量を大幅に削減することが可能である。
【発明の効果】
【００３０】
本発明によれば、電子機器が位置する所定地域内で該電子機器が放送波を受信するために必要な放送情報を処理する際に、放送情報のデータ量を削減して情報処理をすることが可能な情報処理装置を提供することが可能である。
【図面の簡単な説明】
【００３１】
【図１】１次メッシュで区画した日本地図である。
【図２】図１の部分的な拡大図であり、１次メッシュを示す。
【図３】１次メッシュを更に区画した２次メッシュを示す。
【図４】２次メッシュを更に区画した３次メッシュを示す。
【図５】電子機器及び情報処理装置を用いたサービスの概要図である。
【図６】電子機器を示す機能ブロック図である。
【図７】受信情報を示す。
【図８】情報処理装置を示すハードウェア構成図である。
【図９】情報処理装置を示す機能ブロック図である。
【図１０】パターン関連情報を示す。
【図１１】メッシュ関連情報を示す。
【図１２】所定の２次メッシュ内における各々の３次メッシュのパターンＮＯ.が関連付けられたメッシュ関連情報を示す。
【図１３】情報処理装置がパターン及び符合を作成するフロー図である。
【図１４】処理部が抽出する抽出情報を示す。
【図１５】車載機が情報処理装置からの情報を利用する処理フロー図である。
【図１６】従来技術を用いた場合によるデータ量を示す。
【図１７】パターン関連情報のデータ量を示す。
【図１８】メッシュ関連情報のデータ量を示す。
【発明を実施するための形態】
【００３２】
ここで、本発明の実施例に係る情報処理装置１０と、電子機器１について、図面に基づいて説明する。以下に示す実施例は例示であり、本発明はこれらに限定されるものではない。ここでは、電子機器１として、車載用の電子機器を実施の形態の一つとして記載するが、本願に係る構成は、車載用の電子機器に限定されず、例えば、可搬型の携帯端末（例えば、ＰＮＤ、携帯電話、携帯型表示装置など）においても実現可能である。
【００３３】
先ず、本発明の実施例に係る電子機器１及び情報処理装置１０がどのようなサービスに使用可能であるか簡単に説明する。尚、本発明の実施例に係る電子機器１及び情報処理装置１０において、下記に示すサービスは一例にすぎず、下記のサービスに限定されない。図５は、本発明の実施例に係る情報処理装置１０を用いたサービスの概要図である。
【００３４】
情報処理装置１０は、放送情報を一括して処理するセンター等に設置される。電子機器１は、車両に搭載される。Ａ中継局は、ＴＶ放送やラジオ放送等の放送波を発信する。Ｂ
中継局は、ＴＶ放送やラジオ放送のＡ中継局とは異なる放送波を発信する。車両がＡ中継局エリアに位置する場合は、Ａ中継局から発信される放送波を電子機器１が受信することが可能である。車両がＢ中継局エリアに位置する場合は、Ｂ中継局から発信される放送波を電子機器１が受信することが可能である。車両がＡ中継局エリアからＢ中継局エリアへ移動した際、電子機器１は、Ａ中継局から発信される放送波の受信感度が低下し、Ａ中継局から発信されるＴＶ放送やラジオ放送を受信することができなくなる。従って、電子機器１は、Ａ中継局から発信される放送波から、Ｂ中継局から発信される放送波に切り替える必要がある。そこで、本発明の実施例に係る情報処理装置１０は、所定のエリアで電子機器１が受信可能な放送情報を電子機器１へデータ配信する。電子機器１は、センターから配信されたデータと、車両がどのエリアに位置しているかの位置情報に基づいて、電子機器１が受信可能な放送波を導きだし、受信感度の良好なＴＶ放送やラジオ放送をユーザに提供することが可能である。また、電子機器１は、Ａ中継局から発信される放送波の受信感度が低下した際に、自動にＢ中継局から発信される放送波に切り替えることが可能となる。更に、電子機器１は、Ａ中継局エリア内で実際に受信した放送情報と、Ｂ中継局エリア内で実際に受信した放送情報を、センターへ送信する。その結果、センターは、電子機器１から受信した放送情報を基に、所定のエリアで電子機器１が受信可能な放送情報を処理し、処理した放送情報を電子機器１へデータ配信することによって、正確なデータを電子機器１へ提供することが可能となる。以下、本発明の実施例に係る電子機器１及び情報処理装置１０について、具体的に説明する。
【００３５】
＜電子機器の構成＞
先ず、電子機器１の構成について説明する。図６は、本発明の実施例に係る電子機器１（オーディオ機能、ビジュアル機能、ナビゲーション機能を一体的に有する電子機器）を示す機能ブロック図である。図７は、電子機器１内のメモリ１１７が記憶する放送情報を示す。電子機器１は、ラジオ受信部１０２、ＴＶ（Television）受信部１０３、セレクタ１１３、ＧＰＳ（Global Positioning System）情報受信部１１２、ナビゲーション部１
０６、分配回路１０７、画像表示処理部１０８、画像出力部１１０、表示部１２２、音声調整回路１０９、メモリ１１７（第２の記憶部）、通信ユニット１２１、制御部１００（電子機器処理部）、を含む。なお、電子機器１は、このような構成に限定されるものではなく、他の構成を有してもよい。また、電子機器１は、例えば、ＡＶＮ一体機である。
【００３６】
ラジオ受信部１０２は、アンテナにより受信された各ラジオ局から発信されるＡＭ又はＦＭの放送波から、特定の周波数の放送波を選択して受信し、復調して当該放送の音声信号を出力する。ＴＶ受信部１０３は、アンテナにより受信された各放送局から発信される放送波から、セレクタ１１３により特定の周波数の放送波を受信し、受信した映像信号、音声信号及びデータ信号を出力する。ＴＶ受信部１０３は、アナログ放送、デジタル放送、ＢＳ放送、ＣＳ放送等を受信可能であり、受信する放送の種類は限定されない。ラジオ受信部１０２及びＴＶ受信部１０３は、同調回路、復調及び復号回路等を備え、制御部１００からの制御信号により、オン／オフ、受信周波数等の各種動作が制御される。また、ラジオ受信部１０２は、ＡＭ又はＦＭのどちらの放送波を受信したかを示す受信種別、受信した周波数、受信感度情報、受信した日時（月、日、時、分）等を、メモリ１１７に送る（図７参照）。ＴＶ受信部１０３は、受信した放送局チャンネル、受信した放送局チャンネルのネットワークＩＤ、フルセグ及びワンセグの受信感度情報等を、メモリ１１７に送る（図７参照）。尚、受信感度情報は、受信感度が第１の所定値以下である場合は「０」、第１の所定値から第２の所定値の間である場合は「１」、第２の所定値以上である場合は「２」とする。第１の所定値以下である場合は、ユーザが視聴するには困難な受信感度である。第１の所定値から第２の所定値の間である場合は、ユーザが一般的に視聴することが可能な受信感度である。第２の所定値以上である場合は、ユーザが良好に視聴することが可能な受信感度である。
【００３７】
ＧＰＳ情報受信部１１２は、ＧＰＳ衛星からのＧＰＳ信号に基づき自車位置を検出し、検出した現在位置情報を出力する。ＧＰＳ情報受信部１１２は、ＧＰＳ信号を受信する受信回路、受信したＧＰＳ信号に基づき自車位置を算出する演算部等を備える。また、ＧＰＳ情報受信部１１２は、ラジオ受信部１０２がラジオ放送波を受信した際の緯度経度情報をメモリ１１７に送信し、ＴＶ受信部１０３がＴＶ放送波を受信した際の緯度経度情報をメモリ１１７に送信する（図７参照）。
【００３８】
ナビゲーション部１０６は、地図上に自車位置や目的地までの経路を表示したり、交差点等で音声等により右左折等の進行方向案内を行ったり、ＧＰＳ情報受信部１１２から自車位置情報を受信して表示したりして、目的地までの経路案内を行う。ナビゲーション部１０６は、ナビゲーションの為に利用される地図情報を記録するハードディスク、各種演算処理を行うＣＰＵ（Central Processing unit）、各種処理のためにデータを記憶する
ＲＡＭ（Random Access Memory）等のメモリを備える。ナビゲーション部１０６は、制御部１００からの制御信号により、オン／オフ、各種動作が制御される。
【００３９】
分配回路１０７は、制御部１００の制御信号により、出力することが指定された各種ソース（ラジオ受信部１０２、ＴＶ受信部１０３、及びナビゲーション部１０６）の音声信号と画像信号とを画像表示処理部１０８及び音声調整回路１０９に出力する。分配回路１０７は、リレーまたはスイッチングトランジスタ等の電子回路で構成されたスイッチ群を備える。
【００４０】
画像表示処理部１０８は、制御部１００の制御信号により、入力された画像信号に対し、輝度や色調、コントラストなどを調整し、調整した各画像信号を出力する。画像表示処理部１０８は、画像データを記憶するメモリ、画像データを演算処理するデジタルシグナリングプロセッサ等の演算回路等を備える。
【００４１】
画像出力部１１０は、画像表示処理部１０８から入力された画像信号と、制御部１００から表示部１２２に表示させる表示画像信号とを入力して画像合成等の処理を施し、当該処理を施した画像信号に基づき表示部１２２を駆動する。画像出力部１１０は、例えば、演算処理により、画像処理を行う画像用に特化された演算処理回路である画像ＡＳＩＣ、画像処理及び出力用に画像データを記憶するビデオメモリ、画像出力用ビデオメモリに記憶された画像データに基づき表示部を駆動する画像駆動回路等を備える。
【００４２】
音声調整回路１０９は、制御部１００の制御信号により、入力された音声信号に対し、音量、音声を調整し、調整した音声信号を出力する。音声調整回路１０９は、音声データを記憶するメモリ、音声データを演算処理するデジタルシグナルプロセッサ等の演算回路、トランジスタ、抵抗、コイル等により構成される増幅又は減衰回路や共振回路等を備える。スピーカ１６は、音声調整回路１０９から出力された音声信号を音声として出力する。
【００４３】
表示部１２２は、画像出力部１１０から入力された画像信号に基づき画像を表示する。表示部１２２は、例えば、液晶ディスプレイ、有機ＥＬディスプレイ、プラズマディスプレイ、冷陰極フラットパネルディスプレイ等である。表示部１２２は、バックライト２００、液晶パネル２０１、タッチパネル２０２を備える。バックライト２００は、液晶パネル２０１の照明である。タッチパネル２０２は、抵抗膜方式、表面弾性波方式、赤外線方式、電磁誘導方式、及び静電容量方式の何れであってもよい。タッチパネル２０２は、ユーザによって押下された座標の座標情報を制御部１００に出力し、制御部１００は、この座標情報と表示画面とから、ユーザによって選択されたスイッチを判定する。
【００４４】
メモリ１１７（第２の記憶部）は、電子機器１に内蔵された、各種データやプログラム
を記憶するメモリである。メモリ１１７は、例えば、ＲＡＭやフラッシュＲＯＭ等を含む。また、メモリ１１７は、各々の電子機器１に個別に与えられている車載機端末ＩＤを記憶する。また、メモリ１１７は、ラジオ受信部１０２、ＴＶ受信部１０３、ＧＰＳ情報受信部１１２から受信する受信情報を記憶する。具体的に説明すると、メモリ１１７は、図７に示すように、所定の２次メッシュ毎に、ＴＶ受信部１０３が受信した放送局チャンネル、ＴＶ受信部１０３が受信した放送局の放送局ＩＤ（ネットワークＩＤ）、フルセグ及びワンセグの受信感度情報、受信した日時（月、日、時、分）等の受信情報を記憶する。更に、メモリ１１７は、所定の２次メッシュ毎に、ラジオ受信部１０２がＡＭ又はＦＭのどちらの放送波を受信したかを示す受信種別、ラジオ受信部１０２が受信した受信周波数、受信感度情報、受信した日時（月、日、時、分）等の受信情報を記憶する。また、メモリ１１７は、所定の２次メッシュ毎に、ＧＰＳ情報受信部１１２から受信した、ラジオ受信部１０２がラジオ局を受信した際の緯度経度情報と、ＴＶ受信部１０３が受信した際の緯度経度情報等の受信情報を記憶する。同一の２次メッシュコード内で取得した受信情報が同一である場合は、メモリ１１７は、図７の「データ項目」に示す「情報取得場所数」の数を増やして記憶する。尚、メモリ１１７は、２次メッシュ毎に記憶することに限定されず、１次メッシュ毎、３次メッシュ毎等に記憶してもよい。また、図７では、ＴＶ受信部１０３がデジタルＴＶを受信し、ラジオ受信部１０２がＦＭを受信した場合の受信情報であるが、これらに限定されない。
【００４５】
更に、メモリ１１７は、本発明の実施例に係る情報処理装置１０から送信される、パターン及びパターンＮＯ.が関連付けられたパターン関連情報と、パターンＮＯ.及びメッシュコードが関連付けられたメッシュ関連情報とを有する関連情報を記憶する。情報処理装置１０から送信される情報については、後述する。
【００４６】
通信ユニット１２１は、アンテナに接続され、無線通信のための通信インターフェースである。通信ユニット１２１は、メモリ１１７に記憶された受信情報を情報処理装置１０へ送信する。また、通信ユニット１２１は、情報処理装置１０からの放送情報を受信する。
【００４７】
制御部１００は、ＣＰＵ、メモリ等を含むコンピュータと、コンピュータ上で実行されるプログラムによって実現することができる。また、制御部１００は、電子機器１の各部又は接続された外部機器からの信号に基づき、電子機器１の各部、又は、外部機器を統括的に制御する。制御部１００は、例えば、マイクロコンピュータ（マイコン）を備え、該マイコンがＲＯＭ等のメモリに記憶された各種プログラムを実行することによって、各機能を実現する。尚、制御部１００の具体的な処理については、放送情報利用行程において詳しく説明する。
【００４８】
制御部１００は、現在受信している放送波の受信感度が第１の所定値以下であるか否かを判断する。制御部１００は、ナビゲーション部１０６が示す目的地までの経路案や、ＧＰＳ情報受信部１１２から受信した自車位置情報に基づき、次に車両が到達する２次メッシュ又は該２次メッシュコードを予測する。尚、制御部１００が予測するメッシュ（メッシュコード）は、２次メッシュ（２次メッシュコード）に限定されず、３次メッシュ（３次メッシュコード）、１／２次メッシュ（１／２次メッシュコード）、１／４次メッシュ（１／４次メッシュコード）等でもよい。制御部１００は、予測した２次メッシュのメッシュコードに基づいて、上述したメモリ１１７に記憶されているパターン関連情報、及びメッシュ関連情報から、予測した２次メッシュが該当する放送局のパターンを割り出す。制御部１００は、割り出した放送局のパターンの中に、現在受信している放送局と同一の放送局ＩＤがあるか否かを判断する。尚、同一の放送局ＩＤを有する放送局は、同一の放送内容を放送していることを示す。制御部１００は、割り出した放送局のパターンの中に、現在受信している放送局と同一の放送局ＩＤがあると判断した場合、割り出した放送局
のパターン内の同一の放送局ＩＤを有する放送チャンネルに切り替える。一方、制御部１００は、割り出した放送局のパターンの中に、現在受信している放送局と同一の放送局ＩＤが無いと判断した場合、割り出した放送局のパターン内の、受信感度が所定値以上であると確認された別の放送チャンネルに切り替える。
【００４９】
＜情報処理装置の構成＞
本発明の実施例に係る情報処理装置１０の構成について説明する。図８は、本発明の実施例に係る情報処理装置１０のハードウェア構成図である。本発明の実施例に係る情報処理装置１０は、図８に示すように、プログラムやデータを記憶するＲＯＭ（Ｒｅａｄ Ｏ
ｎｌｙ Ｍｅｍｏｒｙ）３４と、このＲＯＭ３４に記憶されたプログラムを実行する中央
処理装置（Ｃｅｎｔｒａｌ Ｐｒｏｃｅｓｓｉｎｇ Ｕｎｉｔ、以下ＣＰＵと称す）３０と、このＣＰＵ３０で処理されるプログラムやデータを一時的に記憶するＲＡＭ（Ｒａｎｄｏｍ Ａｃｃｅｓｓ Ｍｅｍｏｒｙ）３１と、ＣＰＵ３０で処理されるプログラムやデータを記憶するハードディスク３５（第１の記憶部）と、データを入力する入力部としてのキーボード３２と、ＣＰＵ３０からの指令に従いネットワークを介して通信データの送受信を行う通信ユニット３３がバス（ＢＵＳ）３６を介して接続されている。また、ＲＯＭ３４には、情報制御装置１０の制御を司るメインプログラムをはじめ、各種機能を実行させるためのプログラムが記憶されている。
【００５０】
通信ユニット３３は、アンテナに接続され、無線通信のための通信インターフェースである。更に、通信ユニット３３は、電子機器１内のメモリ１１７が記憶する受信情報を、電子機器１内の通信ユニット１２１を介して無線通信によって受信する。通信ユニット３３が受信する受信情報は、図７を参照する。また、通信ユニット３３が受信した受信情報は、データベース３７としてハードディスク３５に格納される。尚、本実施例では、通信ユニット３３が受信する受信情報は、デジタルＴＶ放送、ＡＭラジオ放送、及びＦＭラジオ放送からの情報とするが、これらの放送に限定されない。
【００５１】
また、ハードディスク３５には、図７に示す受信情報に関するデータベース３７、後述するパターン関連情報に関するデータベース３８及びメッシュ関連情報に関するデータベース３９が格納されている。このようなハードウェア構成により情報制御装置１０のＣＰＵ３０は、通信ユニット３３を介して電子機器１との通信を行う。
【００５２】
図９は、本発明の実施例に係る情報処理装置１０を示す機能ブロック図である。処理部１２（情報処理部）は、ＣＰＵ３０、メモリ等を含むコンピュータと、コンピュータ上で実行されるプログラムによって実現することができる。以下、処理部１２について説明する。
【００５３】
処理部１２は、通信ユニット３３によって受信した受信情報を取得し、データベース３７としてハードディスク３５に格納する。そして、処理部１２は、該受信情報に基づき、パターン及び該パターンを識別する符号を作成する。パターン及び符合を作成する処理については、パターン及び符合作成処理工程において詳しく説明する。尚、処理部１２は、キーボード３２によって、シミュレーション等により仮想した放送情報である入力情報を取得し、ハードディスク３５に格納してもよい。また、処理部１２は、入力情報に基づき、パターン及び該パターンを識別する符号を作成してもよい。
【００５４】
処理部１２は、パターン関連情報に関するデータベース３８をハードディスク３５に格納する。パターン関連情報は、後述するパターン及び符合作成処理工程において詳しく説明する。図１０は、ハードディスク３５に格納されたパターン関連情報について示す。具体的に説明すると、２次メッシュのメッシュコードが「５４３８−２３」である場合は、パターン１からパターン８までの放送情報を有する。パターン１からパターン８まで、電
子機器１が受信可能な、デジタルＴＶ、ＡＭラジオ、及びＦＭラジオの放送局のパターンが異なる。
【００５５】
更に、処理部１２は、メッシュ関連情報に関するデータベース３９をハードディスク３５に格納する。メッシュ関連情報は、後述するパターン及び符合作成処理工程において詳しく説明する。尚、パターンＮＯ.は、パターン関連情報に関するデータベース３８のパ
ターンＮＯ.と一致する。図１１は、パターン関連情報に関するデータベース３８に格納
された３次メッシュのメッシュコードが「５４３８−２３９７」である場合の、該メッシュコードと関連付けられたパターンＮＯ.を示す。図１１に示すように、３次メッシュコ
ードが「５４３８−２３９７」の場合のパターンＮＯ.は、「８」である。パターンＮＯ.が「８」である場合は、図１０に示すパターン８に対応する。図１２は、２次メッシュのメッシュコードが「５４３８−２３」である場合の、各々の３次メッシュが関連付けられたパターンＮＯ.を示すメッシュ関連情報である。図１２に示すように、３次メッシュの
メッシュコードと関連付けられたパターン数は、パターンＮＯ.が「１」から「８」まで
存在する。従って、本発明の実施例に係る情報処理装置１０は、３次メッシュのメッシュコード毎に各々の放送情報を記憶せず、関連付けられたパターン及びパターンＮＯ.のパ
ターン関連情報と、関連付けられたパターンＮＯ.及び３次メッシュのメッシュコードの
メッシュ関連情報を記憶するため、放送情報のデータ量を大幅に削減することが可能である。
【００５６】
処理部１２は、通信ユニット３３を介して、ハードディスク３５に格納されているパターン関連情報とメッシュ関連情報を有する関連情報を、電子機器１内の通信ユニット１２１に向けて送信する。処理部１２が関連情報を送信するタイミングは、特に限定されないが、パターン関連情報とメッシュ関連情報とのうち少なくともどちらか一方が更新されれば、更新された情報を、通信ユニット３５を介して電子機器１に向けて送信するようにしてもよい。また、処理部１２は、電子機器１側の制御部１００からの要求があった際に、パターン関連情報とメッシュ関連情報を電子機器１側に送信させてもよい。また、処理部１２は、ハードディスク３５に記憶されている全てのパターン関連情報及びメッシュ関連情報を電子機器１内の通信ユニット１２１に向けて送信させる必要はない。例えば、処理部１２は、車両が現在位置する緯度経度から所定の距離内に該当するメッシュにおいて、該メッシュのメッシュコードに対応するパターン関連情報とメッシュ関連情報を電子機器１側に送信させてもよい。その結果、電子機器１は、情報処理装置１００から膨大な情報を受信しなくてもよい。また、処理部１２は、ハードディスク３５に格納されているパターン関連情報に関するデータベース３８と、メッシュ関連情報に関するデータベース３９をひとつのデータベースにして格納してもよい。
【００５７】
＜パターン及び符合作成処理フロー＞
本発明の実施例に係る情報処理装置１０がパターン及び符合を作成する行程について説明する。図１３は、本発明の実施例に係る情報処理装置１０における処理部１２がパターンを作成するフロー図である。図６及び図９に示す機能ブロック図を参照しながら、以下具体的にパターン情報作成部１２について説明する。尚、処理部１２が電子機器１からの受信情報に基づいてパターン及び符合を作成する場合について説明するが、キーボード３２等の入力部によって入力される入力情報に基づいてパターン及び符合を作成してもよい。
【００５８】
ステップＳ０１では、電子機器１側の制御部１００が、通信ユニット１２１を介して、電子機器１内のメモリ１１７に記憶された受信情報を情報処理装置１０に向けて送信した際に、処理部１２が、該受信情報を、通信ユニット３３を介して無線通信によって取得し、ハードディスク３７に格納する。受信情報とは、図７に示すように、デジタルＴＶ放送に関しては、放送局チャンネル、放送局ＩＤ、ＴＶの受信感度情報（フルセグ及びワンセ
グ）、受信した日時（月、日、時、分）、及びＴＶ受信部１０３が受信した際の緯度経度情報及び該緯度経度が属する３次メッシュコードであり、ラジオ放送に関しては、ＡＭ又はＦＭのどちらの放送波を受信したかを示す受信種別、受信した周波数、ラジオの受信感度情報、受信した日時（月、日、時、分）、ラジオ受信部１０２がラジオ局を受信した際の緯度経度情報及び該緯度経度が属する３次メッシュコード等である。受信情報の取得が完了するとステップＳ０２へ進む。
【００５９】
ステップＳ０２では、処理部１２が、受信情報を３次メッシュ毎に抽出する。図１４は、処理部１２が抽出した抽出情報の一例を示す。例えば、図１４に示すように、メッシュコードが「５４３８−２３９７」である３次メッシュ内において、処理部１２は、「放送局１」から「放送局１０」までのデジタルＴＶの放送情報を抽出し、各々の放送局の放送局チャンネル、放送局ＩＤ、及び受信対象情報を抽出する。デジタルＴＶの「放送局１」が有する放送情報は、放送局チャンネルが「１６」であり、放送局ＩＤが「２１０」であり、受信対象がワンセグ及びフルセグで受信可能であることを示す「１」である。尚、受信対象がワンセグの場合は「０」とし、受信対象がワンセグ及びフルセグの場合は「１」とする。また、メッシュコードが「５４３８−２３９７」である３次メッシュ内において、処理部１２は、「放送局１」から「放送局１０」までのＡＭラジオ、ＦＭラジオの放送情報を抽出し、各々の放送局の放送局周波数、放送局ＩＤを抽出する。ＡＭラジオの「放送局１」が有する放送情報は、放送周波数（ｋＨｚ）が「５５８」であり、放送局ＩＤが「１２８」である。ＦＭラジオの「放送局１」が有する放送情報は、放送周波数（ｋＨｚ）が「７７６００」であり、放送局ＩＤが「１３６」である。尚、処理部１２が抽出する放送局は、デジタルＴＶ放送、ＡＭラジオ放送、ＦＭラジオ放送において、各々１０局とするが、これらに限定されない。また、本実施例では、処理部１２が各々の３次メッシュ毎に放送局のグループを抽出するが、３次メッシュ毎に限定されない。３次メッシュ毎の放送情報の抽出が完了するとステップＳ０３へ進む。
【００６０】
ステップＳ０３では、処理部１２が、抽出した各々の３次メッシュ内の放送局のグループのパターンが、ハードディスク３５に格納されているパターン関連情報に関するデータベース３８に記憶されている既存のパターンにあるか否かを判別する。処理部１２が、パターンがデータベース３８に記憶されている既存のパターンにないと判別した場合は、ステップＳ０４へ進む。一方、処理部１２が、パターンがデータベース３８に記憶されている既存のパターンにあると判別した場合は、ステップＳ０５へ進む。例えば、３次メッシュのメッシュコードが「５４３８−２３９７」である場合、パターンは、図１０に示すパターン８に該当する。この場合、処理部１２は、データベース３８に記憶されている既存のパターンにあると判別し、ステップＳ０５へ進む。また、本発明の実施例に係る情報処理装置１０が初めて使用される場合は、ハードディスク３５にパターン関連情報に関するデータベース３８が格納されていない状態であり、処理部１２は既存のパターンが無いと判別する。
【００６１】
ステップＳ０４では、処理部１２が、データベース３８に記憶されている既存のパターンにないと判別したパターンを、新しいパターンとして作成し、且つ、新しいパターンを識別するパターンＮＯ.を作成する。例えば、複数のパターンがデータベース３８に無い
と判別され、複数のパターンが各々異なる場合は、異なるパターン毎に新しいパターンが作成される。新しいパターン及びパターンＮＯ.の作成が完了するとステップＳ０５へ進
む。
【００６２】
ステップＳ０５では、処理部１２が、ステップＳ０４において、作成した新しいパターンを識別するパターンＮＯ.を、新しいパターンに該当する３次メッシュに割り付け、該
パターンＮＯ.と該３次メッシュのメッシュコードとを関連付けさせる。また、ステップ
Ｓ０３において、処理部１２によって、パターンがデータベース３８に記憶されている既
存のパターンにあると判別された場合は、該パターンを識別するパターンＮＯ.を、該パ
ターンに該当する３次メッシュに割り付け、該パターンＮＯ.と該３次メッシュのメッシ
ュコードとを関連付けさせる。例えば、３次メッシュのメッシュコードが「５４３８−２３９７」である場合、パターン８とメッシュコード「５４３８−２３９７」とを関連付けさせる。パターンＮＯ.の割り付けが完了するとステップＳ０６へ進む。
【００６３】
ステップＳ０６では、処理部１２が、作成した新しいパターンと新しいパターンを識別するパターンＮＯ.を関連付け、データベース３８に記憶させる。更に、処理部１２は、
割り付けた３次メッシュのメッシュコードと、割り付けたパターンＮＯ.を関連付け、デ
ータベース３９に記憶させる。また、処理部１２は、パターンが、データベース３８に記憶されている既存のパターンに該当する場合は、該パターンを識別するパターンＮＯ.と
、該３次メッシュコードを関連付け、データベース３９に記憶させる。従って、本発明の実施例に係る情報処理装置１０は、３次メッシュのメッシュコード毎に各々の放送情報を記憶せず、関連付けられたパターン及びパターンＮＯ.のパターン関連情報と、関連付け
られたパターンＮＯ.及び３次メッシュのメッシュコードのメッシュ関連情報とを記憶す
るため、放送情報のデータ量を大幅に削減することが可能である。データベース３８、３９への記憶が完了するとステップＳ０６へ進む。
【００６４】
ステップＳ０７では、処理部１２が、データベース３７に格納されている受信情報が全てデータベース３８に格納されているパターンに変換され、パターン変換が完了したか否かを判断する。処理部１２が、パターン変換が完了したと判断した場合は、パターン作成処理が終了する。一方、処理部１２が、パターン変換が完了していないと判断した場合は、ステップＳ０２へ戻る。
【００６５】
＜放送情報利用行程＞
次に、本発明の実施例に係る電子機器１を備える車両が情報処理装置１０からの情報を利用する行程について説明する。図１５は、電子機器１が情報処理装置１０からの情報を利用する処理フロー図である。図６に示す機能ブロック図を参照しながら、以下具体的に説明する。尚、電子機器１が有するメモリ１１７には、本発明の実施例に係る情報処理装置１０から関連情報が配信され、記憶されているものとする。
【００６６】
ステップＳ１１では、ラジオ受信部１０２又はＴＶ受信部１０３が放送波を受信し、受信した映像信号又は音声信号、及びデータ信号を出力した際に、制御部１００が、現在、電子機器１によって視聴しているＴＶ局又はラジオ局の受信感度を確認する。制御部１００は、受信感度が、第１の所定値以下であるか、第１の所定値から第２の所定値の間であるか、第２の所定値以上であるかを確認するが、受信感度が第１の所定値以下であるか否かだけを確認してもよい。受信感度の確認が完了するとステップＳ１２へ進む。
【００６７】
ステップＳ１２では、制御部１００が、確認した受信感度が第１の所定値以下であるか否かを判断する。受信感度が第１の所定値以下である場合は、ステップＳ１３へ進む。受信感度が第１の所定値以下でない場合は、ステップＳ１１へ戻る。尚、第１の所定値は、ユーザが視聴するには困難な受信感度である。
【００６８】
ステップＳ１３では、制御部１００が、ナビゲーション部１０６が示す目的地までの経路案内や、ＧＰＳ情報受信部１１２から受信した自車位置情報に基づき、車両が次に到達する３次メッシュ又は該３次メッシュのメッシュコードを予測する。例えば、制御部１００は、車両が次に到達する３次メッシュのメッシュコードが「５４３８−２３９７」であると予測する。尚、制御部１００が予測するメッシュは、３次メッシュに限定されない。次に車両が到達する３次メッシュの予測が完了するとステップＳ１４へ進む。
【００６９】
ステップＳ１４では、制御部１００が、情報処理装置１０から配信された関連情報を記憶するメモリ１１７から、次に車両が到達する３次メッシュが該当する放送局のパターンを割り出す。例えば、制御部１００が予測したメッシュコードが「５４３８−２３９７」である場合、制御部１００が割り出したパターンは、図１１及び図１２に示すように、パターン８である。放送局のパターンの割り出しが完了するとステップＳ１５へ進む。
【００７０】
ステップＳ１５では、制御部１００が、割り出したパターンの中に、現在視聴している放送局ＩＤと同一の放送局ＩＤがあるか否かを判断する。同一の放送局ＩＤがあると判断された場合は、ステップＳ１６へ進む。同一の放送局ＩＤがないと判断された場合は、ステップＳ１７へ進む。
【００７１】
ステップＳ１６では、制御部１００が、現在視聴している放送局ＩＤと同じ放送局ＩＤを有する別の放送チャンネルに切り替える。尚、同じ放送局ＩＤである場合は、放送の内容は同一であるため、ユーザが視聴する放送内容が変わらない。制御部１００による別の放送局チャンネルへの切り替えが完了すると、ステップＳ１１に戻る。
【００７２】
ステップＳ１７では、ステップＳ１５で制御部１００が、同一放送局ＩＤがないと判断した場合は、制御部１００が、受信感度が所定値以上であると確認された別の放送チャンネルに切り替える。制御部１００は、別の放送チャンネルが複数ある場合は、例えば、表示部１２２に複数の放送チャンネルを表示させ、ユーザがタッチパネル２０２に押下することによって別の放送チャンネルを選択させ、別の放送チャンネルに切り替えてもよいし、現在受信している放送局の放送局ＩＤと最も近い放送局ＩＤを持つ放送チャンネルに自動的に切り替えてもよい。制御部１００による別の放送局チャンネルへの切り替えが完了すると、ステップＳ０１に戻る。
【００７３】
以上により、本発明の実施例に係る電子機器１及び情報処理装置１０は、車両の移動に伴って、現在ユーザが視聴しているＴＶ又はラジオの放送局の受信可能エリアから車両が外れ、ラジオ受信部１０２又はＴＶ受信部１０３が受信している放送波の受信感度が低下した際に、放送局チャンネルを自動に切り替え、ユーザが視聴している放送局と同様の内容を視聴することが可能であり、また、他の放送局に切り替えることが可能である。更に、本発明の実施例に係る電子機器１は、情報処理装置１０からデータ量が削減された関連情報が配信されるため、ハードディスクの容量が限られており、膨大なデータ量を記憶することが不可能な車載機にとって好適である。
【００７４】
＜従来とのデータ量の比較＞
従来技術として３次メッシュ毎に受信可能な放送情報を各々記憶する場合と、本発明の実施例に係る情報処理装置１０によって、パターン関連情報に関するデータベース３８及びメッシュ関連情報に関するデータベース３９としてハードディスク３５に記憶する場合とのデータ量を比較する。データ量を比較する前提条件として、受信放送局リストは、デジタルＴＶ放送、ＡＭラジオ放送、ＦＭラジオ放送に各々１０局あると仮定する。また、所定の２次メッシュ内における放送局パターンは、８パターンと仮定する。また、ハードディスク３５は、１つの２次メッシュ内の放送情報を記憶しているものと仮定する。図１６は、従来技術を用いた場合によるデータ量を示す。図１７は、パターン関連情報のデータ量を示す。図１８は、メッシュ関連情報のデータ量を示す。
【００７５】
従来技術を用いた場合によるデータ量から説明する。図１６に示すように、１つ３次メッシュのメッシュコードが有するデータ量は、４Ｂｙｔｅである。１つの３次メッシュ内で受信可能なデジタルＴＶ放送局は、放送局データ１から放送局データ１０まであり、一つの放送局データが有するデータ量が６Ｂｙｔｅであるため、合計で６０Ｂｙｔｅのデータ量を有する。所定の３次メッシュ内で受信可能なＡＭ放送局は、放送局データ１から放
送局データ１０まであり、一つの放送局データが有するデータ量が４Ｂｙｔｅであるため、合計で４０Ｂｙｔｅのデータ量を有する。所定の３次メッシュ内で受信可能なＦＭ放送局は、放送局データ１から放送局データ１０まであり、一つの放送局データが有するデータ量が４Ｂｙｔｅであるため、合計で４０Ｂｙｔｅのデータ量を有する。以上により、１つの３次メッシュ当たりのデータ量は、１４４Ｂｙｔｅである。２次メッシュ内には１００の３次メッシュがある。従って、２次メッシュ当たりのデータ量は、１４，４００Ｂｙｔｅである。
【００７６】
次に、本発明の実施例に係る情報処理装置１０において、パターン関連情報及びメッシュ関連情報のデータ量について説明する。図１７に示すように、パターン関連情報は、２次メッシュコード、受信可能放送局のパターン数、パターン１からパターン８である。２次メッシュコードのデータ量は、３Ｂｙｔｅである。受信可能放送局のデータ数は、１Ｂｙｔｅである。パターン１として、デジタルＴＶ放送局は、放送局データ１から放送局データ１０まであり、一つの放送局データが有するデータ量が６Ｂｙｔｅであるため、合計で６０Ｂｙｔｅのデータ量を有する。また、パターン１として、ＡＭ放送局は、放送局データ１から放送局データ１０まであり、一つの放送局データが有するデータ量が４Ｂｙｔｅであるため、合計で４０Ｂｙｔｅのデータ量を有する。更に、パターン１として、ＦＭ放送局は、放送局データ１から放送局データ１０まであり、一つの放送局データが有するデータ量が４Ｂｙｔｅであるため、合計で４０Ｂｙｔｅのデータ量を有する。パターン１全体のデータ量は、１４０Ｂｙｔｅとなり、パターン１からパターン８までのデータ量は、１，１２０Ｂｙｔｅである。従って、パターン関連情報のデータ量は、１，１２４Ｂｙｔｅである。次に、メッシュ関連情報は、図１８に示すように、３次メッシュコードと、パターンＮＯ.である。３次メッシュコードのデータ量は、３Ｂｙｔｅである。パターン
ＮＯ.のデータ量は、１Ｂｙｔｅである。２次メッシュ内には１００の３次メッシュがあ
る。従って、メッシュ関連情報のデータ量は、５００Ｂｙｔｅである。以上により、パターン関連情報及びメッシュ関連情報の放送情報のデータ量は、１，６２４Ｂｙｔｅである。
【００７７】
以上により、従来技術のデータ量が１４，４００Ｂｙｔｅと膨大のデータ量であるのに比べ、本発明の実施例に係る情報処理装置１０におけるパターン関連情報及びメッシュ関連情報のデータ量が１，６２４Ｂｙｔｅと少なく、大幅にデータ量を削減することが可能である。また、所定の２次メッシュ内における放送局パターンが１００通りと仮定した場合、パターン関連情報のデータ量が１４，００４Ｂｙｔｅとなり、メッシュ関連情報のデータ量が５００Ｂｙｔｅとなる。放送情報のデータ量は、合計で１４，５０４Ｂｙｔｅとなり、従来技術とほぼ同じデータ量になる。近隣地域では放送局が似通っているため、約１０Ｋｍ×約１０Ｋｍの所定の２次メッシュ内で放送局パターンが１００通りもあることはなく、パターンが数通りであることが考えられ、確実に、大幅にデータ量を削減することが可能である。
【００７８】
＜変形例＞
以上、本発明に係る電子機器１及び情報処理装置１０について説明したが、本発明に係る電子機器１及び情報処理装置１０はこれらに限定されるものではない。例えば、制御部１００は、電子機器１内のメモリ１１７にパターン関連情報及びメッシュ関連情報を記憶させなくてもよい。車両が現在位置するメッシュのメッシュコード、又は車両が次に位置する予測されたメッシュのメッシュコードを情報処理装置１０へ送信する。情報処理装置１０の処理部１２は、メッシュコードを取得し、ハードディスク３５に格納された、パターン関連情報に関するデータベース３８及びメッシュ関連情報に関するデータベース３９から、電子機器１から送信されたメッシュコードに対応するパターンを検索する。そして、処理部１２は、該メッシュコードに対応するパターンを電子機器１へ送信してもよい。その結果、本発明の変形例に係る電子機器１は、車両が現在位置するメッシュ内で受信可
能な放送局のグループのパターンを取得することが可能である。車載機がメッシュコードを情報処理装置１０へ送信するタイミングは、車両が現在位置するメッシュから隣のメッシュに所定の距離まで近づいた際に送信してもよいし、特に限定されない。また、電子機器１が備える制御部１００が、車両が位置する経度緯度情報又はメッシュ情報を常に情報処理装置１０へ送信させ、情報処理装置１０が備える処理部１２が、車両の位置するメッシュ内で受信可能な放送局のパターンを、車両の移動に伴って電子機器１へ送信させてもよい。
【符号の説明】
【００７９】
１・・・電子機器
１００・・・制御部
１０２・・・ラジオ受信部
１０３・・・ＴＶ受信部
１０６・・・ナビゲーション部
１０７・・・分配回路
１０８・・・画像表示処理部
１０９・・・音声調整回路
１１０・・・画像出力部
１１２・・・ＧＰＳ情報受信部
１１３・・・セレクタ
１１７・・・メモリ
１２１・・・通信ユニット
１２２・・・表示部
２００・・・バックライト
２０１・・・液晶パネル
２０２・・・タッチパネル
１６・・・スピーカ
１０・・・情報処理装置
１１・・・受信部
１２・・・処理部
【図１】
2012257032.tif 000003
【図２】
2012257032.tif 000004
【図３】
2012257032.tif 000005
【図４】
2012257032.tif 000006
【図５】
2012257032.tif 000007
【図６】
2012257032.tif 000008
【図７】
2012257032.tif 000009
【図８】
2012257032.tif 000010
【図９】
2012257032.tif 000011
【図１０】
2012257032.tif 000012
【図１１】
2012257032.tif 000013
【図１２】
2012257032.tif 000014
【図１３】
2012257032.tif 000015
【図１４】
2012257032.tif 000016
【図１５】
2012257032.tif 000017
【図１６】
2012257032.tif 000018
【図１７】
2012257032.tif 000019
【図１８】
2012257032.tif 000020